(57)【要約】【課題】頭部装着具の内部形状に合わせて自在に合わせることができ、頭部装着具の吸湿と消臭を行う吸湿具を提供する。【解決手段】吸湿機能を備えた第一シート３は円筒状または円錐台状に変形可能であって、吸湿機能を備えた第二シート５は、第一シート３が円筒状または円錐台状に変形された状態における少なくとも一方の開口面を塞ぐ形状を有しており、第一シート３を円筒状または円錐台状に変形させて、その少なくとも一方の開口面に第二シート５を被せた状態で、頭部装着物の内側に設けて用いる。【選択図】図１
0003204648.tif 000002
【実用新案登録請求の範囲】
【請求項１】
吸湿機能を各々備えた第一シートと第二シートとを有し、
前記第一シートは、円筒状または円錐台状に変形可能であって、
前記第二シートは、前記第一シートが円筒状または円錐台状に変形された状態における少なくとも一方の開口面を塞ぐ形状を有しており、
前記第一シートを円筒状または円錐台状に変形させて、その少なくとも一方の開口面に前記第二シートを被せた状態で、頭部装着物の内側に設けて用いることを特徴とする吸湿具。
【請求項２】
前記第一シートと前記第二シートとが互いに着脱可能に固定されていることを特徴とする請求項１に記載の吸湿具。
【請求項３】
前記第一シートが円筒状または円錐台状に変形した状態で円筒状または円錐台状を保持する保持部を有することを特徴とする請求項１または２に記載の吸湿具。
【請求項４】
前記円筒状または前記円錐台状の大きさは調整可能であることを特徴とする請求項１から３のいずれか一項に記載の吸湿具。
【請求項５】
吸湿センサーを備えていることを特徴とする請求項１から４のいずれか一項に記載の吸湿具。
【請求項６】
消臭機能を有していることを特徴とする請求項１から５のいずれか一項に記載の吸湿具。
【請求項７】
前記第一シートは少なくとも一部の隅が一部除去された形状を成していることを特徴とする請求項１から６のいずれか一項に記載の吸湿具。
【考案の詳細な説明】
【技術分野】
【０００１】
本考案は、帽子、ヘルメット、防具などの頭部装着具の内側に取り付け、吸湿や消臭を行う吸湿具の技術に関する。
【背景技術】
【０００２】
一般に、人間の頭部を外部からの衝撃等から守るために頭部装着具が用いられる。頭部装着具には、帽子、ヘルメット、防具などがある。帽子は例えば防寒としてや、日差しを遮るためや、またはファッションのため等に用いられる。ヘルメットは、例えば自転車や自動二輪車に乗車する際に頭を保護する保護具として用いられ、また工事現場や工場内などで作業用等として着用される。防具は剣道や拳法の保護具として用いられる。これらは必要に迫られて用いられるものであり、必要な道具である。
【０００３】
かかる頭部装着具を夏の暑い時期等に装着すると、頭部が蒸れやすい。頭部が蒸れると、頭髪や頭皮に良くない影響を与えるのみか、非常に不快なものとなってしまう。頭部が蒸れると汗が発生し、頭部装着具に汗が付着して湿っぽくなったり、悪臭を発生させるという不具合が生じる。頭部装着具のかかる不具合を解消するための提案がある（特許文献１参照）。
【先行技術文献】
【特許文献】
【０００４】
【特許文献１】特開２００６−３１６３９７号公報
【考案の概要】
【考案が解決しようとする課題】
【０００５】
特許文献１に記載の考案は、帽子の内部における交換脱着可能なインナーであって、頭のサイズとヘルメットのサイズがあっていない場合にサイズの微調整のために用いることもできるとの記載がある。しかし、該公報にはサイズの微調整の手段が何ら記載されていない。
【０００６】
そこで本考案は、頭部装着具の内部形状に合わせて自在にぴったりに合わせることができ、頭部装着具の吸湿と消臭を行う吸湿具を提供することを目的とする。
【課題を解決するための手段】
【０００７】
前述の目的は、下記に記載する考案により達成される。
【０００８】
１．吸湿機能を各々備えた第一シートと第二シートとを有し、前記第一シートは、円筒状または円錐台状に変形可能であって、前記第二シートは、前記第一シートが円筒状または円錐台状に変形された状態における少なくとも一方の開口面を塞ぐ形状を有しており、前記第一シートを円筒状または円錐台状に変形させて、その少なくとも一方の開口面に前記第二シートを被せた状態で、頭部装着物の内側に設けて用いることを特徴とする吸湿具。
【０００９】
２．前記第一シートと前記第二シートとが互いに着脱可能に固定されていることを特徴とする前記１に記載の吸湿具。
【００１０】
３．前記第一シートが円筒状または円錐台状に変形した状態で円筒状または円錐台状を保持する保持部を有することを特徴とする前記１または２に記載の吸湿具。
【００１１】
４．前記円筒状または前記円錐台状の大きさは調整可能であることを特徴とする前記１から３のいずれか一つに記載の吸湿具。
【００１２】
５．吸湿センサーを備えていることを特徴とする前記１から４のいずれか一つに記載の吸湿具。
【００１３】
６．消臭機能を有していることを特徴とする前記１から５のいずれか一つに記載の吸湿具。
【００１４】
７．第一シートは少なくとも一部の隅が一部除去された形状を成していることを特徴とする請求項１から６のいずれか一つに記載の吸湿具。
【考案の効果】
【００１５】
頭部装着具の内部形状に合わせて自在に合わせることができ、頭部装着具の吸湿と消臭を行う吸湿具を提供することができる。
【図面の簡単な説明】
【００１６】
【図１】本考案の一実施形態に係る吸湿具１の平面図である。
【図２】本考案の一実施形態に係る吸湿具１の下面図である。
【図３】第一シート３の平面図である。
【図４】第一シート３の下面図である。
【図５】第二シート５の平面図である。
【図６】第二シート５の下面図である。
【図７】第一シート３を変形させる途中工程を示す概要図である。
【図８】円筒状に変形された第一シート３の概要図である。
【図９】第二シート５を第一シート３に合体させた状態の概要を示す正面図である。
【図１０】第二シート５を第一シート３に合体させた状態の概要を示す背面図である。
【図１１】第一シート３の一方の開口の上に、第二シート５を被せた状態の概要を示す正面図である。
【図１２】第一シート３の一方の開口の上に、第二シート５を被せた状態の概要を示す背面図である。
【図１３】スナップボタンを二つ有する第二シート５１と第一シート３１とからなる他の実施形態に係る吸湿具の平面図である。
【図１４】第二シート５１を第一シート３１に合体させた状態の概要を示す正面図である。
【図１５】第二シート５１を第一シート３１に合体させた状態の概要を示す背面図である。
【図１６】第一シート３１の一方の開口の上に、第二シート５１を被せた状態の概要図である。
【図１７】バイク用のヘルメット２０に吸湿具１を装着することを示す概要図である。
【図１８】ヘルメット２０に吸湿具１を内接させて装着した状態の概要図である。
【図１９】第二シート５のみをバイク用のヘルメット２０内部に内接させて利用する概要図である。
【図２０】一般的な紳士用のハット３０の概要図である。
【図２１】四隅を一部除去された形状に成形した第一シート３を円錐台状にして利用する場合の概要図である。
【図２２】ハット３０の内部に第一シート３を円錐台状にして内接させて装着した状態の概要図である。
【図２３】吸湿シート６０の断面概要図である。
【考案を実施するための形態】
【００１７】
以下、本考案の実施の形態を図面に基づいて詳しく説明する。図１は本考案の一実施形態に係る吸湿具１の平面図であり、図２は下面図である。本考案の一実施形態に係る吸湿具１は、吸湿機能を各々備えた第一シート３と第二シート５とを有している。第一シート３は円筒状または円錐台状に変形可能である。第二シート５は、第一シート３が円筒状または円錐台状に変形した状態における円筒状または円錐台状の少なくとも一方の開口面を塞ぐ形状を有している。そして、かかる吸湿具１は、第一シート３を円筒状または円錐台状に変形させて、その少なくとも一方の開口面に第二シート５を被せた状態で、頭部装着物の内側に設けて利用できるものである。
【００１８】
図３は、第一シート３の平面図であり、図４は第一シート３の下面図である。図５は、第二シート５の平面図であり、図６は第二シート５の下面図である。第一シート３は、可撓性であり変形可能であって、吸湿センサー９と、面ファスナー７と、面ファスナー１３とスナップボタン１１０とを備えている。
【００１９】
吸湿センサー９は、例えば塩化コバルトを表面に所定量塗布したものである。塩化コバルトが無水の場合は青色であり、雰囲気中の湿度が増して二水和物となると紫色になり、そしてさらに湿度が増えると六水和物となって桃色となる。この変色を人が視認することで吸湿の度合いを知ることができる。変色によって吸湿の具合が大きくなったと判断すれば、天日干しや乾燥機などの手段を用いて、色の変化を参考に乾燥させることができる。
【００２０】
面ファスナー７と面ファスナー１３とは、例えば一方がフック状の起毛を有し、他方がループ状に密集した起毛を有し、両方を押し付けるとフック状の起毛とループ状に密集した起毛とが絡まって固定力を発現するものであり、人の力で自在に貼り付けたり剥がしたりすることができるものである。第一シート３を円筒状または円錐台状に変形した後に、面ファスナー７と面ファスナー１３とを貼り付けることで、円筒状または円錐台状を保持することができる。従って、面ファスナー７と面ファスナー１３とは保持部の役割を有することとなる。
【００２１】
スナップボタン１１は、第二シート５の後述のスナップボタン１１０と対を成し、例えば一方が凸状部を備え、他方が凹状部を備えており、その凸状部と凹状部を嵌合させることで二つのボタンを合体させるものであり、人の力で自在に着脱できるものである。
【００２２】
第二シート５は、可撓性であり変形可能であって、スナップボタン１１０と対を成すスナップボタン１１を備えている。スナップボタン１１は第一シート３のスナップボタン１１０と嵌合可能に構成されている。
【００２３】
第一シート３と第二シート５は通気性を備え、内部に吸湿機能を有する材料を備えている。第一シート３と第二シート５は通気性を備えるので、空気や湿分を透過可能である。通気性を有するのであれば素材は問わないが、例えば不織布、織布、編物などが挙げられる。また、吸湿機能を有する材料については、吸湿機能を有する材料であれば素材は問わないが、例えばシリカゲルは好適に用いられる。第一シート３と第二シート５の構造については後述する。
【００２４】
第一シート３は例えば長方形状をなしており、四つの隅部は丸まった形状を成している。第一シート３は可撓性を有していて変形可能であり、容易に円筒状または円錐台状に変形させることができる。図７は、第一シート３を変形させる途中工程を示す概要図である。図７に示すように、第一シート３を円筒状に変形させるにおいて、面ファスナー７と、面ファスナー１３とを接触させて互いに固定させ、円筒状の形状を維持させることができる。この時、円筒形状の直径の大きさは、面ファスナー７が第一シート３の長手方向に長いので、面ファスナー１３を接触させる面ファスナー７の位置を変えることで自在に変更できる。また、面ファスナー１３と面ファスナー７と接触させる角度を変更することで、第一シート３を円筒状ではなく、円錐台状にも変形できる。すなわち、第一シート３を円筒状または円錐台状に変形させた時の大きさは調整可能である。図８は、円筒状に変形された第一シート３の概要図である。図９は、第二シート５を第一シート３に合体させた状態の概要を示す正面図である。図１０は、第二シート５を第一シート３に合体させた状態の概要を示す背面図である。このように、スナップボタン１１とスナップボタン１１０とを嵌合させることで、円筒状に変形させた第一シート３に第二シート５を合体させる。図１１は、第一シート３の一方の開口の上に、第二シート５を被せた状態の概要を示す正面図である。図１２は、第一シート３の一方の開口の上に、第二シート５を被せた状態の概要を示す背面図である。
【００２５】
第二シート５は可撓性を有しており変形可能であり、円筒状になった第一シート３の円筒の一方の開口の上に被さり、その開口を塞ぐ形になる。本実施形態では、第二シート５は、やや四角形であるが、第一シート３を円筒状に変形させてできる開口の形状に合わせて丸形状に近い形にしてもよい。
【００２６】
図１３は、スナップボタンを二つ有する第二シート５１と第一シート３１とからなる他の実施形態に係る吸湿具１００の平面図である。第一シート３１は、第一シート３１の構造に加えてスナップボタン１１２を備えている。第二シート５１は二つのスナップボタン１１とスナップボタン１１１とを有する。第二シート５１の形状は、スナップボタンを二つ備え、菱形に近い形状を成している。第一シート３１のスナップボタン１１２は、第二シート５１のスナップボタン１１１と嵌合するようになっている。図１４は、第二シート５１を第一シート３１に合体させた状態の概要を示す正面図である。図１５は、第二シート５１を第一シート３１に合体させた状態の概要を示す背面図である。このように円筒状に変形された第一シート３１に対して、スナップボタン１１とスナップボタン１１０とを嵌合させ、かつ、スナップボタン１１１とスナップボタン１１２とを嵌合させることで、第一シート３１と第二シート５１とを合体させる。
【００２７】
図１６は、第一シート３１の一方の開口の上に、第二シート５１を被せた状態の概要図である。このように、第一シート３１と第二シート５１とが２箇所で固定されているので、第一シート３１と第二シート５１とで構成される円筒の形状をしっかりと保持することが可能となる。
【００２８】
かかる吸湿具１と吸湿具１００とは、第一シート３を円筒状または円錐台状に変形させて、その少なくとも一方の開口面に第二シート５を被せた状態で、頭部装着物の内側に設けられることで、その頭部装着物の吸湿または消臭の用に供せられる。頭部装着物とはヘルメットや帽子や防具などである。ヘルメットには、バイクに乗る時に着用するヘルメットや、工事現場等で頭部の安全を確保するヘルメットなどがある。帽子としては、汎用の帽子、運動帽、キャップ、紳士用ハット、ベレー帽、雨具のキャップ部など色んなタイプに適用できる。防具としては、剣道用、日本拳法用、その他の格闘技用がある。
【００２９】
図１７は、バイク用のヘルメット２０に吸湿具１を装着することを示す概要図である。図１８は、ヘルメット２０に吸湿具１を内接させて装着した状態の概要図である。バイク用のヘルメット２０はオープンフェイスタイプのヘルメットである。オープンフェイスタイプだけでなくフルフェイスタイプ等でも利用できることは言及するまでもない。かかるヘルメット２０に、吸湿具１を第二シート５の方向から装着し、ヘルメット２０内部における頭部が接触する内面部分に吸湿具１の外面が沿うように内接させる。ヘルメット２０の内面部分の全てに吸湿具１の外面が接触する必要はなく、近接していても吸湿等の性能が発揮されることは言うまでもない。第一シート３が円筒面状から復元する復元力をヘルメット２０の内側からヘルメット２０に伝えることで吸湿具１がしっかりとヘルメット２０の内側に固定されることとなる。
【００３０】
吸湿具１の全体を頭部装着物の内部の吸湿等に用いるのではなく、吸湿具１の一部のみを用いてもよい。例えば、第一シート３のみを用いてもよいし、第二シート５のみを用いてもよい。図１９は、第二シート５のみをバイク用のヘルメット２０内部に内接させて利用する概要図である。第二シート５は、可撓性であって変形可能であるので、ヘルメット２０の内側の形状に変形させられつつ元の形状に復元する復元力をヘルメット２０の内側からヘルメット２０に伝えるので、しっかりとヘルメット２０の内側に固定されることとなる。
【００３１】
このように吸湿具１は可撓性であって変形可能であるので、様々な頭部装着物に利用できる。頭部装着物の内側が円錐台形状になっているような場合には、吸湿具１を円錐台形状に変形させて用いることが望ましい。第一シート３は、長方形状であって、図７に示されているように、面ファスナー７と面ファスナー１３とは、各々が細長い形状であって、各々の長手方向が直交する配置に設けられている。そのため、第一シート３を円錐台形状に変形する際に、利用者が手で第一シート３を円錐台形状に巻いた状態で面ファスナー７と面ファスナー１３とを接合させやすいので、円錐台形状を容易に保持することができる。
【００３２】
図２０は、一般的な紳士用のハット３０の概要図である。一般的な紳士用のハットの内部の頭部の内接する部分は、円錐台形状である場合が多く、第一シート３を円錐台状に形を保持してやれば、その紳士用のハット３０の内部の頭部の内接する部分にうまく嵌まり込み装着でき、紳士用のハット３０の内部部分から効率よく吸湿機能や消臭機能を発揮させることができる。
【００３３】
ところでこのような第一シート３を円筒状にした場合には長方形状の第一シート３の四隅が隠れる状態になるが、第一シート３を円錐台状などの円筒状でない状態に変形した場合、長方形状の第一シート３の四隅の先端が外部へ出っ張る状態となる。すると、第一シート３を頭部装着物の内部に装着した状態で、頭部装着物を設置面に置く場合に、第一シート３の四隅の先端が設置面に当接してしまい、頭部装着物の設置面上での座りが良くなく不安定になる場合がある。そこで、他の実施形態では、第一シート３の四つの隅を一部除去された形状に成形してやることが望ましい。
【００３４】
図２１は、四隅を一部除去された形状に成形した第一シート３を円錐台状にして利用する場合の概要図である。図２１における第一シート３においては、第一シート３の四つの隅３４は、短辺の約３分の１に相当する部分を円形状にカットした状態にしてある。このようにすることで、隅３４部分が出っ張らず、第一シート３の両端がスムーズに重ねあわされた形になる。従って、頭部装着物に装着した円錐台状の第一シート３の底辺部分が頭部装着物の外側に出っ張った際に、第一シート３の円錐台形状の底辺部分の殆どが設置面上に設置されるので、第一シート３の座りがよく、頭部装着物が安定して設置面上に設置されるという効果を得ることができる。なお、必ずしも円形状である必要はなく、短辺と長辺とに直線状にカットしてやってもよい。
【００３５】
図２２は、ハット３０の内部に第一シート３を円錐台状にして内接させて装着した状態の概要図である。このように、頭部装着物の内部の形状に合わせて、利用者自らが第一シート３の形状を変更して使用することが可能である。
【００３６】
次に、図２３に基づき、第一シート３と第二シート５の構造について説明する。第一シート３と第二シート５とは吸湿機能や消臭機能を有する吸湿シート６０を備える。図２３は、吸湿シート６０の断面概要図である。吸湿シート６０は可撓性で通気性を有する基材シート６１と基材シート６３とが重ね合わせられ、その重ね合わせられた面同士の間に、多数の粒状をなすシリカゲル６５が挟持されている。基材シート６１と基材シート６３とは可撓性であって通気性を有していれば素材を問わないが、例えば、不織布、織布、編物などが挙げられる。基材シート６１はウェブ６７の集合体であり、同じく基材シート６３はウェブ６９の集合体である。
【００３７】
両方のシートが重ね合わされた後に、シリカゲル６５を囲むシートの部分を縫合や熱溶着などして、基材シート６１と基材シート６３との対向面間でシリカゲル６５を固定する。すなわち図２３に示すように、吸湿シート６０は、不織布を構成成分とする上下一対の基材シート６１と基材シート６３とが重ね合わされたものであり、基材シート６１と基材シート６３の対向面７１と対向面７３との間には、粒状をなす多数のシリカゲル６５が挟持されている。
【００３８】
また、図２３に示すように、シリカゲル６５は基材シート６１と基材シート６３との間において層状をなし、相対する基材シート６１と基材シート６３との対向面７１と対向面７３との間全体に亘りほぼ均一に分布している。そして、これらシリカゲル６５を上下両側から挟持した状態において、基材シート６１と基材シート６３との対向面７１と対向面７３との間は、基材シート６１と基材シート６３の構成素材である複数のウェブ７５により互いに縫合されている。
【００３９】
シリカゲルを固定するために、基材シート６１と基材シート６３との重合部分にはシリカゲル６５を上下両側から挟持した状態においてニードルパンチが複数箇所に亘って施されている。すなわち各ニードルパンチの箇所において基材シート６１と基材シート６３のウェブ７５同士が機械的に絡み合うことにより、その絡み合った各箇所付近に基材シート６１と基材シート６３とが接合され固定されている。これにより、各ウェブ７５により対向面７１と対向面７３との間が縫合された基材シート６１と基材シート６３にてシリカゲル６５は層状をなしたまま移動不能に挟着保持されている。
【００４０】
シリカゲル６５の粒は、多数の微細貫通孔を備えており、高湿度雰囲気下では表面吸着又は毛細管現象により空気中の水分を吸収し、乾燥雰囲気下では吸収した水分を放出し得る機能を有している。そのため、かかる吸湿機能及び放湿機能を良好にするべく、本実施形態におけるシリカゲル６５には微細空間容積が０．５〜１．０ｍｌ／ｇ及び表面積が６５０〜３５０ｍ２／ｇの範囲内にあるものが採用されている。また、微細貫通孔の孔径は３０〜１２０オングストロームのものが吸湿機能等を良好に発揮する上で好ましい。なお、シリカゲルは水分の他に空気中に飛散する臭いの元であるアンモニア、トリメチルアミン、硫化水素、メルカプタンなども吸着し消臭機能をも有する。
【００４１】
このように、多数のシリカゲルの粒が、不織布を構成成分とする通気性を有する基材シート６１と基材シート６３とに挟持されることで、高い防湿性、吸湿性そして消臭性を長時間に亘って保つことができる。
【００４２】
なお、吸湿機能や消臭機能を有する材料としては、シリカゲルが好適であるがこれに限られず、例えば、ゼオライトやトルマリン等の天然多孔石、備長炭などの炭材や活性炭、パーライト、ケイ酸ソーダなどがあげられる。
【００４３】
吸湿機能を有することにより、頭部装着物の内側が蒸れると頭髪によくないところであるが、吸湿具１や吸湿具１００はかかる頭部装着物の内側から吸湿するので、頭部装着物を被った際に利用者は爽快さを感じ得る。さらに吸湿により頭部装着物を被った際に利用者の頭髪保護に役立つ。また、吸湿だけでなく、頭部装着物の内側が乾燥したときには余分な水分を空中に放出する機能をも有し、乾燥を和らげて調湿する機能も有する。
【００４４】
以上のように本考案によれば、吸湿機能を各々備えた第一シートと第二シートとを有し、前記第一シートは、円筒状または円錐台状に変形可能であって、前記第二シートは、前記第一シートが円筒状または円錐台状に変形された状態における少なくとも一方の開口面を塞ぐ形状を有しており、前記第一シートを円筒状または円錐台状に変形させて、その少なくとも一方の開口面に前記第二シートを被せた状態で、頭部装着物の内側に設けて用いることで、吸湿機能や消臭機能を備えたシートが頭部装着物の内面から直に吸湿や消臭を行うので、背景技術のようにサイズの微調整の手段を設ける必要がなく、簡単かつ高い効果で吸湿や消臭を行うことができる。
【００４５】
また、本考案によれば、第一シートと第二シートとが互いに着脱可能に固定されていることで、一体とした場合には、頭部装着部の内面にぴったりと嵌るように装着でき、各々一つで使用する場合には各々別個に頭部装着部の内面に装着して使用することができるようになり、様々な形状の頭部装着部に適用できる吸湿具を提供できる。
【００４６】
また、本考案によれば、第一シートが円筒状または円錐台状に変形した状態で円筒状または円錐台状を保持する保持部を有することで、第一シートの形状をしっかりと保つことができる吸湿具を提供できる。
【００４７】
また、本考案によれば、前記円筒状または前記円錐台状の大きさは調整可能であることで、様々な形状の頭部装着部に適用できる吸湿具を提供できる。
【００４８】
また、本考案によれば、吸湿センサーを備えていることで、変色を人が視認することで吸湿の度合いを知ることができ、吸湿の具合が大きくなったと判断すれば、天日干しや乾燥機などの手段を用いて、色の変化を参考に乾燥させることができる吸湿具を提供できる。
【００４９】
また、本考案によれば、消臭機能を有していることで、吸湿だけでなく、頭部装着部の悪臭を除去することができる吸湿具を提供できる。
【００５０】
また、本考案によれば、第一シートは少なくとも一部の隅が一部除去された形状を成していることで、頭部装着物に装着した円錐台状の第一シートの底辺部分が頭部装着物の外側に出っ張った際に、第一シートの円錐台形状の底辺部分の殆どが設置面上に設置されるので、第一シートの座りがよく安定化し、頭部装着物が安定して設置面上に設置されるという効果を得ることができる吸湿具を提供できる。
【符号の説明】
【００５１】
１  吸湿具
３，３１  第一シート
５，５１  第二シート
７，１３  面ファスナー
９  吸湿センサー
２０  ヘルメット
３０  ハット
３４  隅
６０  吸湿シート
６１，６３  基材シート
６５  シリカゲル
６７，６９  ウェブ
７１，７３  対向面
７５  ウェブ
１１，１１０，１１１，１１２  スナップボタン
【図１】
0003204648.tif 000003
【図２】
0003204648.tif 000004
【図３】
0003204648.tif 000005
【図４】
0003204648.tif 000006
【図５】
0003204648.tif 000007
【図６】
0003204648.tif 000008
【図７】
0003204648.tif 000009
【図８】
0003204648.tif 000010
【図９】
0003204648.tif 000011
【図１０】
0003204648.tif 000012
【図１１】
0003204648.tif 000013
【図１２】
0003204648.tif 000014
【図１３】
0003204648.tif 000015
【図１４】
0003204648.tif 000016
【図１５】
0003204648.tif 000017
【図１６】
0003204648.tif 000018
【図１７】
0003204648.tif 000019
【図１８】
0003204648.tif 000020
【図１９】
0003204648.tif 000021
【図２０】
0003204648.tif 000022
【図２１】
0003204648.tif 000023
【図２２】
0003204648.tif 000024
【図２３】
0003204648.tif 000025